(57)【要約】【課題】  少ない消費電力で効率良く振動素子の振動を人体に伝えることができる電子機器および腕時計を提供する。【解決手段】  腕時計ケース１の裏面に取り付けられ、開口部１４が形成された裏蓋６と、この裏蓋６の開口部１５に配置されて腕に接触する振動板１６と、この振動板１６の外周縁と裏蓋６の開口部１５の内周縁とを連結する弾性体１７と、振動板１６の内面に固定されて振動を発生する振動モータ１８と、を備えている。従って、振動モータ１８で発生した振動によって振動板１６のみを振動させることができ、この振動板１６によって振動を腕に確実に伝えることができる。このため、振動モータ１８で裏蓋６や腕時計ケース１の一部または全部を振動させる必要がないので、少ない消費電力で振動モータ１８を振動させることができると共に、効率良く振動モータ１８の振動を腕に伝えることができる。【選択図】        図１
2015059886.tif 000002
【特許請求の範囲】
【請求項１】
開口部が形成されたケースと、
前記ケースの前記開口部に配置された振動板と、
前記振動板の外周縁と前記ケースの前記開口部の内周縁とを連結する弾性体と、
前記ケース内に位置する前記振動板の内面に固定されて振動を発生する振動素子と、
を備えていることを特徴とする電子機器。
【請求項２】
請求項１に記載の電子機器において、前記弾性体は、シリコーン樹脂、ウレタン樹脂、発泡樹脂、ゲル状の低反発素材の弾力性を有する材料の中から選んだ少なくとも何れかの材料で形成されていることを特徴とする電子機器。
【請求項３】
請求項１または請求項２に記載の電子機器において、前記弾性体は、前記振動板の外周縁と前記ケースの前記開口部の内周縁とに跨った状態で、枠状に連続して形成されていることを特徴とする電子機器。
【請求項４】
請求項１または請求項２に記載の電子機器において、前記弾性体は、前記ケースの前記開口部の内周縁と前記振動板の外周縁との間の隙間に配置されると共に、上端部が振動板の内面に折り曲げられて接着され、下端部が前記ケースの外面に折り曲げられて接着されていることを特徴とする電子機器。
【請求項５】
請求項１〜請求項４のいずれかに記載の電子機器において、前記振動板が前記ケース内に押し込まれるのを阻止する位置規制部を備えていることを特徴とする電子機器。
【請求項６】
請求項１〜請求項５のいずれかに記載の電子機器において、前記振動板と前記ケースの前記開口部とは非円形状に形成されていることを特徴とする電子機器。
【請求項７】
腕時計ケースと、
前記腕時計ケースの裏面に取り付けられ、かつ開口部が形成された裏蓋と、
前記裏蓋の前記開口部に配置されて人体に接触する振動板と、
前記振動板の外周縁と前記裏蓋の前記開口部の内周縁とを連結する弾性体と、
前記腕時計ケース内に位置する前記振動板の内面に固定されて振動を発生する振動素子と、
を備えていることを特徴とする腕時計。
【発明の詳細な説明】
【技術分野】
【０００１】
この発明は、腕時計、携帯電話機、携帯情報端末機などの電子機器および腕時計に関する。
【背景技術】
【０００２】
例えば、腕時計においては、特許文献１に記載されているように、腕時計ケースの裏蓋に振動モータを取り付け、この振動モータで発生した振動が裏蓋を介して腕などの人体に伝達されるように構成されたものが知られている。
【先行技術文献】
【特許文献】
【０００３】
【特許文献１】特開２０１３−４４５４０号公報
【発明の概要】
【発明が解決しようとする課題】
【０００４】
しかしながら、このような腕時計では、振動モータで発生した振動を腕などの人体に伝えるために、振動モータで裏蓋を腕時計ケースと共に振動させる必要がある。このため、振動モータに大きな電流を流して、振動モータを強力に振動させなければならないので、消費電力が多くなり、電池の消耗が激しく、電池交換の頻度が多くなるという問題がある。
【０００５】
この発明が解決しようとする課題は、少ない消費電力で効率良く振動素子の振動を人体に伝えることができる電子機器および腕時計を提供することである。
【課題を解決するための手段】
【０００６】
この発明は、開口部が形成されたケースと、前記ケースの前記開口部に配置された振動板と、前記振動板の外周縁と前記ケースの前記開口部の内周縁とを連結する弾性体と、前記ケース内に位置する前記振動板の内面に固定されて振動を発生する振動素子と、を備えていることを特徴とする電子機器である。
【発明の効果】
【０００７】
この発明によれば、振動素子で発生した振動によって振動板のみを振動させることができ、この振動板によって振動を人体に確実に伝えることができる。このため、振動素子でケースの一部または全部を振動させる必要がないので、少ない消費電力で振動素子を振動させることができると共に、効率良く振動素子の振動を人体に伝えることができる。
【図面の簡単な説明】
【０００８】
【図１】この発明を指針式の腕時計に適用した第１実施形態を示した拡大断面図である。
【図２】図１に示された腕時計の振動発生装置を示した拡大平面図である。
【図３】図２に示された振動発生装置を示した拡大側面図である。
【図４】図２に示された振動発生装置のＡ−Ａ矢視における要部の拡大断面図である。
【図５】図２に示された振動発生装置における振動板の回転止め部の第１変形例を示した平面図である。
【図６】図２に示された振動発生装置における振動板の腕時計ケース内への押込みを防ぐ位置規制部の第２変形例を示した要部の拡大断面図である。
【図７】この発明を指針式の腕時計に適用した第２実施形態を示した拡大断面図である。
【発明を実施するための形態】
【０００９】
（第１実施形態）
以下、図１〜図４を参照して、この発明を指針式の腕時計に適用した第１実施形態について説明する。
この腕時計は、図１に示すように、腕時計ケース１を備えている。この腕時計ケース１は、合成樹脂からなるケース本体２と、このケース本体２の上部外周に設けられた第１ベゼル３と、この第１ベゼル３の下部外周に設けられた第２ベゼル４とを有している。
【００１０】
この場合、ケース本体２には、図１に示すように、金属製の補強部材２ａが埋め込まれている。また、このケース本体２の上部外周と第１ベゼル２との間には、補助ベゼル２ｂが設けられている。さらに、このケース本体２の１２時側および６時側に位置する個所には、バンド取付部２ｃがそれぞれ外部に突出して設けられている。このバンド取付部２ｃには、腕時計ケース１を腕に取り付けるための時計バンド９がそれぞれ取り付けられている。
【００１１】
この腕時計ケース１の上部開口部、つまりケース本体２の上部開口部には、図１に示すように、時計ガラス５がパッキン５ａを介して取り付けられている。この腕時計ケース１の下部、つまりケース本体２の下部には、裏蓋６が防水リング部６ａを介して取り付けられている。また、この腕時計ケース１の内部、つまりケース本体２の内部には、時計モジュール７が中枠８を介して設けられている。
【００１２】
この時計モジュール７は、図１に示すように、上部ハウジング１０と下部ハウジング１１とを備えている。この上部ハウジング１０と下部ハウジング１１との内部には、時計ムーブメントや回路基板などの時計機能に必要な各種の部品（図示せず）が組み込まれている。この場合、時計ムーブメントは、指針軸１２を回転させることにより、指針軸１２に取り付けられた指針１３を運針させて時刻を指示表示するように構成されている。
【００１３】
また、この腕時計ケース１には、図１に示すように、報知機能としての振動発生装置１４が設けられている。この振動発生装置１４は、裏蓋６に設けられた開口部１５内に配置されて腕などの人体に接触する振動板１６と、この振動板１６の外周縁と裏蓋６の開口部１５の内周縁とを弾力的に連結する弾性体１７と、腕時計ケース１の内部側に位置する振動板１６の内面に固定されて振動を発生する振動モータ１８と、を備えている。
【００１４】
裏蓋６は、ステンレスなどの金属からなり、図２に示すように、ほぼ円板状に形成されている。この裏蓋６の外周部における互いに対向する個所には、一対の取付部２０がそれぞれ側方に突出して設けられている。これら一対の取付部２０は、裏蓋６を腕時計ケース１の下面、つまりケース本体２の下面にねじ（図示せず）によって取り付けるためのものであり、複数のねじ取付孔２０ａがそれぞれ設けられている。
【００１５】
また、この裏蓋６には、図１に示すように、開口部１５が設けられている。この開口部１５は、図２に示すように、その一部を除いて、ほぼ円形状に形成されている。すなわち、この開口部１５は、その一部が一方（図２では下辺側）の取付部２０に食い込んで形成されていることにより、全体が非円形状に形成されている。
【００１６】
振動板１６は、ステンレスなどの金属板であり、図１および図２に示すように、裏蓋６の開口部１５よりも少し小さい大きさで、開口部１５と同じ形状で形成されている。これにより、振動板１６は、裏蓋６の開口部１５内に配置された際に、振動板１６の外周縁と裏蓋６の開口部１５の内周縁との間に隙間Ｓが設けられるように構成されている。
【００１７】
この振動板１６と裏蓋６とを連結する弾性体１７は、図１に示すように、腕時計ケース１の内部側に位置する裏蓋６の内面と振動板１６の内面とにおいて、振動板１６の外周縁と裏蓋６の開口部１５の内周縁との両方に跨った状態で、裏蓋６の内面と振動板１６の内面とに接着されるように構成されている。
【００１８】
この弾性体１７は、弾力性を有するシートであり、シリコーン樹脂、ウレタン樹脂、発泡樹脂、ゲル状の低反発素材のいずれかの材料で形成されているが、好ましくはシリコーン樹脂で形成されていることが望ましい。これにより、弾性体１７は、図１および図２に示すように、振動板１６を裏蓋６に弾力的に連結し、振動板１６が裏蓋６に対して弾力的に変位するように構成されている。
【００１９】
この場合、弾性体１７の上面には、図１に示すように、中枠８の下端面が裏蓋６と振動板１６とに跨って配置されている。これにより、弾性体１７は、中枠８の下端面と裏蓋６の内面との間に挟まった状態で固定されるように構成されている。このため、振動板１６は、その下側から腕時計ケース１内に向けて押されても、中枠８の下端面によって腕時計ケース１内に押し込まれないように位置規制されている。
【００２０】
また、振動板１６は、図１に示すように、その厚みが裏蓋６の厚みとほぼ同じ厚みで形成されているが、好ましくは裏蓋６の厚みよりも少し薄く形成されていることが望ましい。これにより、振動板１６は、裏蓋６の開口部１５内に配置された際に、振動板１６の外周縁が裏蓋６の裏面側に突出しないように構成されている。また、この弾性体１７の外周部には、腕時計ケース１のケース本体２と裏蓋６との間の防水を図る防水リング６ａが一体に形成されている。
【００２１】
この振動板１６に搭載される振動モータ１８は、図１〜図４に示すように、モータ部１８ａ、一対の偏心回転部１８ｂ、および回路部１８ｃを有し、モータ部１８ａが一対の偏心回転部１８ｂを偏心回転させることにより、振動を発生するように構成されている。この振動モータ１８は、振動板１６に一体的に形成されたモータ保持部２１に取り付けられるように構成されている。
【００２２】
モータ保持部２１は、合成樹脂を含み、図２〜図４に示すように、インサート成型によって振動板１６に一体に形成されている。すなわち、このモータ保持部２１は、振動モータ１８のモータ部１８ａを保持する本体部２１ａと、振動板１６中に埋め込まれて固定された固定部２１ｂと、を有し、これらが合成樹脂によって一体に形成されている。
【００２３】
本体部２１ａは、図２〜図４に示すように、その上側および両側が開放されたほぼ箱状に形成され、その内部にモータ部１８ａが配置され、この状態で一対の偏心回転部１８ｂが本体部２１ａの両側外部に突出するように構成されている。固定部２１ｂは、その一部が振動板１６に設けられた取付穴部２２内に埋め込まれた状態で、振動板１６の内面に露出し、この露出した部分が本体部２１ａと一体に形成されている。
【００２４】
この場合、振動板１６の取付穴部２２は、図４に示すように、振動板１６の内面に位置する個所の穴幅が振動板１６中の内部の穴幅よりも狭く形成されている。固定部２１ｂは、本体部２１ａと共にインサート成型によって振動板１６の取付穴部２２に埋め込まれた状態で形成されている。これにより、固定部２１ｂは、振動板１６から離脱しないように、振動板１６と一体に形成されている。
【００２５】
また、振動モータ１８は、図２〜図４に示すように、そのモータ部１８ａがモータ保持部２１の本体部２１ａ内に配置された状態で、押え金具２３によってモータ部１８ａが本体部２１ａ内に押し付けられて固定されるように構成されている。この押え金具２３は、ステンレスなどの金属板からなり、振動モータ１８の軸方向に沿う両側部に一対の係合片２３ａが下側に折り曲げられて設けられている。
【００２６】
これにより、押え金具２３は、図２〜図４に示すように、モータ部１８ａが配置されたモータ保持部２１の本体部２１ａ上に配置されて、両側の係合片２３ａが本体部２１ａの外面に設けられたフック部２４に係合されることにより、モータ部１８ａを本体部２１ａ内に押し付けた状態で本体部２１ａに取り付けるように構成されている。
【００２７】
また、この押え金具２３には、図２〜図４に示すように、振動モータ１８の回路部１８ｃが挿入して上方に突出する開口部２３ｂが設けられている。これにより、振動モータ１８の回路部１８ｃには、図１に示すように、板ばね状の端子板２５が弾力的に接触している。この端子板２５は、振動モータ１８の回路部１８ｃと時計モジュール７内の回路基板（図示せず）とを電気的に接続するように構成されている。
【００２８】
次に、このような腕時計の作用について説明する。
まず、振動板１６に振動モータ１８を取り付ける場合には、振動板１６にインサート成型によって一体に形成されたモータ保持部２１の本体部２１ａ内に振動モータ１８のモータ部１８ａを配置する。このときには、一対の偏心回転部１８ｂが本体部２１ａの両側から外部に突出した状態で配置される。
【００２９】
この状態で、モータ保持部２１の本体部２１ａ上に押え金具２３を配置する。このときには、押え金具２３の両側の係合片２３ａを本体部２１ａの両側外面にそれぞれ設けられた各フック部２４に係合させる。すると、モータ部１８ａが押え金具２３によって本体部２１ａ内に押し付けられる。これにより、振動モータ１８がモータ保持部２１に取り付けられる。
【００３０】
このように振動モータ１８が取り付けられた振動板１６を裏蓋６に取り付ける場合には、まず、裏蓋６の開口部１５内に振動板１６を配置する。この状態で、裏蓋６の内面および振動板１６の内面に弾性体１７を、振動板１６の外周縁と裏蓋６の開口部１５の内周縁との両方に跨った状態で接着する。これにより、振動板１６と裏蓋６とが弾性体１７によって弾力的に連結される。
【００３１】
そして、振動板１６が連結された裏蓋６を腕時計ケース１のケース本体２の下面に取り付ける。このときには、予め、ケース本体２の上部開口部に時計ガラス５を取り付けると共に、ケース本体２内に時計モジュール７を中枠８と共に配置する。この状態で、裏蓋６をケース本体２の下面に取り付けると、弾性体１７が中枠８の下端面と裏蓋６の内面および振動板１６の内面との間に挟まれる。
【００３２】
これにより、振動板１６は、その下側から腕時計ケース１内に向けて押されても、中枠８の下端面によって腕時計ケース１内に押し込まれないように位置規制される。また、このときには、弾性体１７の外周部に一体に形成された防水リング部６ａがケース本体２と裏蓋との間に配置される。これにより、ケース本体２と裏蓋との間の防水が図れる。
【００３３】
次に、この腕時計を腕に取り付けて使用する場合について説明する。
この場合には、予め、ケース本体２のバンド取付部２ｃに時計バンド９を取り付け、この時計バンド９で腕時計ケース１を腕に取り付ける。このときには、裏蓋６および振動板１６が腕に接触する。
【００３４】
この状態で、振動モータ１８のモータ部１８ａが回転すると、このモータ部１８ａの回転によって一対の偏心回転部１８ｂが偏心回転して、振動を発生する。すると、振動モータ１８の振動によってモータ保持部２１が振動し、このモータ保持部２１の振動によって振動板１６が振動する。このときには、振動板１６が弾性体１７によって裏蓋６に弾力的に連結されているので、裏蓋６は振動せず、振動板１６のみが振動する。
【００３５】
このように、振動板１６のみが振動する場合には、裏蓋６および腕時計ケース１を振動させる場合に比べて、振動する質量が大幅に減少するので、振動モータ１８を駆動するエネルギー量に対して振動モータ１８の振動量が大幅に上昇する。これにより、振動モータ１８が振動すると、振動板１６がモータ保持部２１と共に強力に振動し、この振動板１６の振動が腕に確実に伝わる。
【００３６】
このように、この腕時計によれば、腕時計ケース１の裏面に取り付けられ、かつ開口部１４が設けられた裏蓋６と、この裏蓋６の開口部１５に配置されて腕に接触する振動板１６と、この振動板１６の外周縁と裏蓋６の開口部１５の内周縁とを弾力的に連結する弾性体１７と、腕時計ケース１の内部側に位置する振動板１６の内面に固定されて振動を発生する振動モータ１８と、を備えていることにより、少ない消費電力で効率良く振動モータ１８の振動を腕に伝えることができる。
【００３７】
すなわち、この腕時計では、振動モータ１８で発生した振動によって振動板１６のみを振動させることができ、この振動板１６によって振動を腕に確実に伝えることができる。このため、振動モータ１８で裏蓋６や腕時計ケース１の一部または全部を振動させる必要がないので、少ない消費電力で振動モータ１８を振動させることができると共に、効率良く振動モータ１８の振動を腕に伝えることができ、これにより振動モータ１８の小型化を図ることができる。
【００３８】
また、この腕時計では、弾性体１７が、シリコーン樹脂、ウレタン樹脂、発泡樹脂、ゲル状の低反発素材の弾力性を有する材料の中から選んだ１種類の材料で形成されていることにより、振動板１６を裏蓋６に弾力的に連結した状態で、振動板１６を裏蓋６に対して弾力的に変位させることができるので、振動板１６のみを振動モータ１８によって確実にかつ良好に振動させることができる。
【００３９】
この場合、弾性体１７は、シリコーン樹脂で形成されていることにより、弾性体１７の外周部にケース本体２と裏蓋６との間の防水を図る防水リング６ａを一体に形成することができるので、部品点数を削減することができると共に、裏蓋６の組み付け作業の簡素化をも図ることができ、これにより低コスト化を図ることができる。
【００４０】
また、この腕時計では、弾性体１７が振動板１６の外周縁と裏蓋６の開口部１５の内周縁とに跨った状態で、枠状に連続して形成されているので、弾性体１７によって振動板１６を裏蓋６に弾力的に連結することができるほか、振動板１６の外周縁と裏蓋６の開口部１５の内周縁との間の隙間Ｓを塞ぐことができると共に、振動板１６の外周縁と裏蓋６の開口部１５の内周縁との間の防水性をも確保することができる。
【００４１】
また、この弾性体１７は、時計モジュール７と共に腕時計ケース１内に配置される中枠８の下端面と、裏蓋６の内面および振動板１６の内面と、の間に挟まれているので、これによっても振動板１６の外周縁と裏蓋６の開口部１５の内周縁との間の隙間Ｓを確実に塞ぐことができると共に、振動板１６の外周縁と裏蓋６の開口部１５の内周縁との間の防水をも確実にかつ良好に図ることができる。
【００４２】
この場合、中枠８の下端部は、振動板１６の外周縁と裏蓋６の開口部１５の内周縁との両方に跨って配置されていることにより、振動板１６が腕時計ケース１内に押し込まれるのを阻止する位置規制部としての機能を果たすことができる。すなわち、振動板１６が腕時計ケース１内に向けて押し込まれると、振動板１６の外周縁が中枠８の下端部に当接するので、振動板１６が腕時計ケース１内に押し込まれて時計モジュール７が破損するのを防ぐことができる。
【００４３】
また、振動板１６は、その厚みが裏蓋６の厚みと同じか、それよりも少し薄く形成されていることにより、腕時計ケース１を腕に取り付けて使用する際に、振動板１６の外周縁に衣服の袖口などが引っ掛からないようにすることができ、これにより衣服の袖口が、ほつれたり、ほころんだりするのを防ぐことができるので、良好に腕に取り付けて使用することができる。
【００４４】
さらに、振動板１６と裏蓋６の開口部１５とは、その各一部が裏蓋６の一方の取付部２０に食い込むことにより、それぞれ非円形状に形成されているので、振動板１６が裏蓋６の開口部１５内に配置された状態で、振動板１６が裏蓋６の開口部１５内において、その面方向に回転するのを防ぐことができる。これにより、振動板１６に搭載された振動モータ１８が腕時計ケース１内で位置ずれするのを防ぐことができ、振動モータ１８を所定位置に確実に位置規制することができる。
【００４５】
なお、上述した第１実施形態では、振動板１６と裏蓋６の開口部１５とを非円形状に形成して、振動板１６が裏蓋６の開口部１５内においてその面方向に回転しないように構成した場合について述べたが、これに限らず、振動板１６と裏蓋６の開口部１５とを楕円形状、または四角形、五角形などの多角形状に形成しても良い。
【００４６】
また、これに限らず、例えば図５に示す第１変形例のように、回転止め部２７を備えていれば、振動板１６と裏蓋６の開口部１５とを円形状に形成しても良い。すなわち、この回転止め部２７は、振動板１６の外周面に設けられた凹部２７ａと、開口部１５の内周面に設けられた凸部２７ｂと、を備え、開口部１５の凸部２７ｂを振動板１６の凹部２７ａに係合させることにより、振動板１６が裏蓋６の開口部１５内においてその面方向に回転しないように構成されていれば良い。
【００４７】
また、上述した第１実施形態では、腕時計ケース１内に配置された中枠８によって、振動板１６が腕時計ケース１内に押し込まれるのを防ぐように構成した場合について述べたが、これに限らず、例えば図６に示す第２変形例のように、振動板１６と裏蓋６の開口部１５とに振動板１６の腕時計ケース１内への押し込みを防ぐ位置規制部２８を設けた構成であっても良い。
【００４８】
すなわち、この位置規制部２８は、裏蓋６の開口部１５の内周面における上部から振動板１６の外周面の上部に向けて突出した位置規制突起部２８ａと、振動板１６の外周面の上部に設けられた位置規制凹部２８ｂとを有し、裏蓋６の位置規制突起部２８ａに振動板１６の位置規制凹部２８ｂが接離可能に当接するように構成されていれば良い。
【００４９】
さらに、上述した第１実施形態では、弾性体１７が時計モジュール７の中枠８と裏蓋６および振動板１６との間に配置されている場合について述べたが、これに限らず、弾性体１７の一部を時計モジュール７と振動板１６との間に延長させ、この延長した部分を時計モジュール７と振動板１６との間の緩衝部として形成した構成であっても良い。
【００５０】
また、上述した第１実施形態では、振動モータ１８の回路部１８ｃと時計モジュール７の回路基板とを端子板２５によって電気的に接続した場合について述べたが、これに限らず、コイルばね、フレキシブル配線基板などの接続部材によって、振動モータ１８の回路部１８ｃと時計モジュール７の回路基板とを電気的に接続するように構成しても良い。
【００５１】
（第２実施形態）
次に、図７を参照して、この発明を指針式の腕時計に適用した第２実施形態について説明する。なお、図１〜図４に示された第１実施形態と同一部分には同一符号を付して説明する。
この腕時計は、図７に示すように、裏蓋６と振動板１６とを弾力的に連結する弾性体３０が第１実施形態と異なる構成であり、これ以外は第１実施形態とほぼ同じ構成になっている。従って、図５に示す第１変形例の構成、及び、図６に示す第２変形例の構成は、第２実施形態においても有効である。
【００５２】
すなわち、この弾性体３０は、図７に示すように、裏蓋６の開口部１５の内周縁と振動板１６の外周縁との間の隙間に配置され、この状態で上端部３０ａが振動板１６の内面に折り曲げられて接着され、下端部３０ｂが裏蓋６の外面に折り曲げられて接着されている。この場合、弾性体３０は、裏蓋６の開口部１５の内周縁と振動板１６の外周縁との間の隙間に連続して配置されている。
【００５３】
また、この弾性体３０は、その上端部３０ａが振動板１６の外周縁に沿って連続した状態で、振動板１６の内面に枠状に固定されている。また、弾性体３０は、その下端部３０ｂが裏蓋６の開口部１５の内周縁に沿って連続した状態で、裏蓋６の外面に枠状に固定されている。これにより、弾性体３０は、振動板１６を裏蓋６に弾力的に連結するように構成されている。
【００５４】
また、この弾性体３０は、第１実施形態と同様、弾力性を有するシートであり、シリコーン樹脂、ウレタン樹脂、発泡樹脂、ゲル状の低反発素材のいずれかの材料で形成されているが、好ましくはシリコーン樹脂で形成されていることが望ましい。このため、この弾性体３０は、図７に示すように、振動板１６を裏蓋６に弾力的に連結した状態で、振動板１６が裏蓋６に対して弾力的に変位するように構成されている。
【００５５】
この場合、腕時計ケース１内の時計モジュール７と振動板１６との間には、図７に示すように、緩衝シート３１が配置されている。この緩衝シート３１は、振動板１６がその下側から腕時計ケース１内に向けて押された際に、振動板１６が腕時計ケース１内に押し込まれないように位置規制するように構成されている。
【００５６】
また、この緩衝シート３１は、図７に示すように、振動板１６が時計モジュール７の下部ハウジング１１に接触して、時計モジュール７が振動板１６の振動によって振動しないように構成されている。また、腕時計ケース１の下面、つまりケース本体２の下面と裏蓋６の内面との間には、防水リング部６ａが単独で設けられている。
【００５７】
このような腕時計によれば、第１実施形態と同様、振動モータ１８で発生した振動によって振動板１６のみを振動させることができ、この振動板１６によって振動を腕に確実に伝えることができる。このため、振動モータ１８で裏蓋６や腕時計ケース１の一部または全部を振動させる必要がないので、少ない消費電力で振動モータ１８を振動させることができると共に、効率良く振動モータ１８の振動を腕に伝えることができ、これにより振動モータ１８の小型化を図ることができる。
【００５８】
この場合、弾性体３０は、振動板１６の外周縁と裏蓋６の開口部１５の内周縁との間の隙間に枠状に連続して配置されているので、弾性体３０によって振動板１６を裏蓋６に弾力的に連結することができるほか、振動板１６の外周縁と裏蓋６の開口部１５の内周縁との間の隙間Ｓを確実に塞ぐことができ、これにより振動板１６の外周縁と裏蓋６の開口部１５の内周縁との間の防水性をも確保することができる。
【００５９】
また、この弾性体３０は、その上端部３０ａが振動板１６の外周縁に沿って連続した状態で、振動板１６の内面に枠状に固定され、下端部３０ｂが裏蓋６の開口部１５の内周縁に沿って連続した状態で、裏蓋６の外面に枠状に固定された構成であるから、弾性体３０によって振動板１６と裏蓋６とを確実にかつ良好に連結することができるほか、振動板１６が腕時計ケース１内に押し込まれるのを抑制することができる。
【００６０】
さらに、腕時計ケース１内の時計モジュール７と振動板１６との間には、緩衝シート３１が配置されていることにより、振動板１６がその下側から腕時計ケース１内に向けて押された際に、緩衝シート３１によって振動板１６が腕時計ケース１内に押し込まれないように位置規制することができる。また、この緩衝シート３１は、振動板１６が時計モジュール７の下部ハウジング１１に接触して、時計モジュール７が振動板１６の振動によって振動するのを防ぐことができる。
【００６１】
なお、上述した第１、第２の各実施形態では、振動モータ１８が振動板１６の片側に偏って設けられている場合について述べたが、これに限らず、振動モータ１８を振動板１６の中央に設けた構成であっても良い。
【００６２】
また、上述した第１、第２の各実施形態では、振動素子として振動モータ１８を用いた場合について述べたが、必ずしも振動モータ１８である必要はなく、例えば圧電素子などの振動素子を用いても良い。
【００６３】
さらに、上述した第１、第２の各実施形態では、腕時計に適用した場合について述べたが、必ずしも腕時計である必要はなく、例えば携帯電話機、携帯情報端末機などの電子機器に広く適用することができる。この場合には、ケースの一部に開口部を形成し、この開口部内に振動板１６を配置し、この状態で振動板１６とケースとを弾性体１７で弾力的に連結するように構成すれば良い。
【００６４】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００６５】
（付記）
請求項１に記載の発明は、開口部が形成されたケースと、前記ケースの前記開口部に配置された振動板と、前記振動板の外周縁と前記ケースの前記開口部の内周縁とを連結する弾性体と、前記ケース内に位置する前記振動板の内面に固定されて振動を発生する振動素子と、を備えていることを特徴とする電子機器である。
【００６６】
請求項２に記載の発明は、請求項１に記載の電子機器において、前記弾性体は、シリコーン樹脂、ウレタン樹脂、発泡樹脂、ゲル状の低反発素材の弾力性を有する材料の中から選んだ少なくとも何れかの材料で形成されていることを特徴とする電子機器である。
【００６７】
請求項３に記載の発明は、請求項１または請求項２に記載の電子機器において、前記弾性体は、前記振動板の外周縁と前記ケースの前記開口部の内周縁とに跨った状態で、枠状に連続して形成されていることを特徴とする電子機器である。
【００６８】
請求項４に記載の発明は、請求項１または請求項２に記載の電子機器において、前記弾性体は、前記ケースの前記開口部の内周縁と前記振動板の外周縁との間の隙間に配置されると共に、上端部が振動板の内面に折り曲げられて接着され、下端部が前記ケースの外面に折り曲げられて接着されていることを特徴とする電子機器である。
【００６９】
請求項５に記載の発明は、請求項１〜請求項４のいずれかに記載の電子機器において、前記振動板が前記ケース内に押し込まれるのを阻止する位置規制部を備えていることを特徴とする電子機器である。
【００７０】
請求項６に記載の発明は、請求項１〜請求項５のいずれかに記載の電子機器において、前記振動板と前記ケースの前記開口部とは非円形状に形成されていることを特徴とする電子機器である。
【００７１】
請求項７に記載の発明は、腕時計ケースと、前記腕時計ケースの裏面に取り付けられ、かつ開口部が形成された裏蓋と、前記裏蓋の前記開口部に配置されて人体に接触する振動板と、前記振動板の外周縁と前記裏蓋の前記開口部の内周縁とを連結する弾性体と、前記腕時計ケース内に位置する前記振動板の内面に固定されて振動を発生する振動素子と、を備えていることを特徴とする腕時計である。
【符号の説明】
【００７２】
１  腕時計ケース
６  裏蓋
７  時計モジュール
８  中枠
１４  振動発生装置
１５  開口部
１６  振動板
１７、３０  弾性体
１８  振動モータ
２１  モータ保持部
２３  押え金具
２７  回転止め部
２８  位置規制部
３１  緩衝シート
【図１】
2015059886.tif 000003
【図２】
2015059886.tif 000004
【図３】
2015059886.tif 000005
【図４】
2015059886.tif 000006
【図５】
2015059886.tif 000007
【図６】
2015059886.tif 000008
【図７】
2015059886.tif 000009